(57)【要約】【課題】強度に優れた箱体構造を提供する。【解決手段】箱体は、天井面をなす上面パネル３４と、この上面パネル３４に対向配置され、底面をなす下面パネル４０と、該上面パネル３４および下面パネル４０を連結して、左右の各側面をなす一組の側面パネル４６,４６とからなり、前後の両面に開口部を備えている。各側面パネル４６は、上面パネル３４における側面の略中央部に上端部を連結すると共に、下端部を下面パネル４０における側面の略中央部に連結した補強柱４８と、補強柱４８を挟む前後両側に位置して、上端部を前記上面パネル３４の側面に連結すると共に、下端部を下面パネル４０の側面に連結した一対の側板５０,５０とから構成してある。【選択図】図２
2006046861.tif 000002
【特許請求の範囲】
【請求項１】
天井面をなす上面パネル(34)と、この上面パネル(34)に対向配置され、底面をなす下面パネル(40)と、該上面パネル(34)および下面パネル(40)を連結して、左右の各側面をなす一組の側面パネル(46,46,47,47)とからなり、これらのパネル(34,40,46,46,47,47)により画成された収納空間(S)の前後に臨む各開口部(S1)を開閉自在に閉成する扉(D,D)を夫々備えた箱体構造において、
前記各側面パネル(46,47)を、
前記上面パネル(34)における側面の略中央部に上端部が連結されると共に、下端部が前記下面パネル(40)における側面の略中央部に連結された補強柱(48)と、
前記補強柱(48)を挟む両側に位置して、その上端部が前記上面パネル(34)の側面に連結されると共に、下端部が前記下面パネル(40)の側面に連結される一対の側板部(50,50,51,51)とから構成した
ことを特徴とする箱体構造。
【請求項２】
前記上面パネル(34)および下面パネル(40)の各側面における略中央部には、前記補強柱(48)の挿通を許容して位置規制する接続部材(38,44)が夫々配設され、これらの接続部材(38,44)に補強柱(48)の各端部を対応的に挿入して連結するようにした請求項１記載の箱体構造。
【請求項３】
前記上面パネル(34)および下面パネル(40)は、その前後方向の略中央部に左右に延在する補強枠(36,42)を夫々備え、この補強枠(36,42)の各端部に前記接続部材(38,44)が夫々連結されている請求項２記載の箱体構造。
【発明の詳細な説明】
【技術分野】
【０００１】
この発明は、前後の両面に扉を備えた貯蔵庫における本体の箱体構造に関するものである。
【背景技術】
【０００２】
例えば、ホテルやレストラン等の厨房に設置され、食品や飲料品または食器等の物品を冷蔵,冷凍状態等または常温で保存する貯蔵庫としては、中空の板状体に断熱材を充填した複数のパネルを連結した箱体構造からなるものがある(例えば、特許文献１参照)。図６または図７に示すように、前記貯蔵庫１０の本体をなす箱体１２の構造は、天井面をなす上面パネル１４と、この上面パネル１４に対向配置され、底面をなす下面パネル１６と、上面パネル１４の一側面に上端部を連結すると共に、下面パネル１６の側面に下端部を連結し、左右の各側面をなす一組の側面パネル１８,１８とから基本的に構成され、これら上面パネル１４、下面パネル１６および側面パネル１８,１８によって、前面および後面の両面に開放した開口部Ｓ１,Ｓ１を有する収納空間Ｓが内部画成されている。また、前記上面パネル１４および下面パネル１６の間には、仕切板２０が配設され、前記収納空間Ｓを上下の関係で区分している。そして、前記収納空間Ｓにおける前後の開口部Ｓ１,Ｓ１を画成する上面パネル１４、下面パネル１６および仕切板２０における前後の端縁部には、左右方向に延在するガイド溝２２が夫々凹設され、これら上下に対向するガイド溝２２,２２にスライド自在に係止された一対のスライド扉Ｄ,Ｄが、箱体１２の前面および後面に夫々配設されている。すなわち前記箱体１２は、前面および後面の何れの開口部Ｓ１も一対のスライド扉Ｄ,Ｄで開閉自在に開放されて、前面および後面の何れからも前記収納空間Ｓに対して物品を出し入れし得る、所謂パススルータイプに構成されている。なお、前記箱体１２は、前記各パネル１４,１６,１８,１８をネジやリベット等の固定部材２４を用いて、互いに連結することで箱状に構成されている。
【０００３】
このような箱体１２は、前面と後面との両面が開放しているため、構造体としての強度が弱い難点が指摘される。そこで、前記収納空間Ｓにおいて、前記上面パネル１４または下面パネル１６と、側面パネル１８,１８とがなす各角部に補強部材２６を夫々配設して補強がなされている(図８参照)。また、各パネル１４,１６,１８,１８の板厚を厚くして、各パネル１４,１６,１８,１８自体の強度を向上させると共に、各パネル１４,１６,１８,１８の連結部分の接触面積を多くすることで、箱体強度の向上が図られている。更に別の方法として、前記仕切板２０を多段に設置して、側面パネル１８,１８との連結箇所を増やすことで、箱体強度を増強することもできる。
【特許文献１】特許第２５８４３６９号公報
【発明の開示】
【発明が解決しようとする課題】
【０００４】
しかし、前記補強部材２６を配設したり、仕切板２０を多段に設置すること、あるいは各パネル１４,１６,１８,１８の板厚を厚くする構成では、箱体１２の強度を向上し得るものの、該補強部材２６や仕切板２０の設置スペースの分や各パネル１４,１６,１８,１８の厚み分だけ収納空間Ｓを狭めてしまう問題が指摘される。また、断熱材を充填した各パネル１４,１６,１８,１８の構造は、このパネル１４,１６,１８,１８の強度自体がそれほど高くないので、前記補強部材２６による補強効果が低い難点もある。
【０００５】
すなわちこの発明は、従来の技術に係る箱体構造に内在する前記問題に鑑み、これらを好適に解決するべく提案されたものであって、前後両面に扉を備えた箱体において、強度の高い箱体構造を提供することを目的とする。
【課題を解決するための手段】
【０００６】
前記課題を克服し、所期の目的を達成するため、本発明に係る箱体構造は、
天井面をなす上面パネルと、この上面パネルに対向配置され、底面をなす下面パネルと、該上面パネルおよび下面パネルを連結して、左右の各側面をなす一組の側面パネルとからなり、これらのパネルにより画成された収納空間の前後に臨む各開口部を開閉自在に閉成する扉を夫々備えた箱体構造において、
前記各側面パネルを、
前記上面パネルにおける側面の略中央部に上端部が連結されると共に、下端部が前記下面パネルにおける側面の略中央部に連結された補強柱と、
前記補強柱を挟む両側に位置して、その上端部が前記上面パネルの側面に連結されると共に、下端部が前記下面パネルの側面に連結される一対の側板部とから構成したことを特徴とする。
【発明の効果】
【０００７】
本発明に係る箱体構造によれば、各側面パネルを、上面パネルにおける側面の略中央部に上端部が連結されると共に、下端部が下面パネルにおける側面の略中央部に連結される補強柱と、この補強柱を挟む両側に位置して、上端部が上面パネルの側面に連結されると共に、下端部が下面パネルの側面に連結される一対の側板部とから構成することで、補強柱の剛性故に、側面パネルの厚みを増すことなく、箱体の強度を向上させることができる。また、上面パネルおよび下面パネルの各側面における略中央部に、補強柱の挿通を許容して位置規制する接続部材を夫々配設し、この接続部材に補強柱の各端部を対応的に挿入固定することで、補強柱の各パネルに対する上下、左右および前後の位置決めが容易になし得ると共に、補強柱が上面パネルおよび下面パネルに対し強固に連結し、箱体の強度をより向上し得る。更に、上面パネルおよび下面パネルの略中央部に、左右に延在する補強枠を夫々備え、この補強枠の各端部に各接続部材を夫々連結することで、上面パネルおよび下面パネル自体の強度が向上すると共に、上面パネルまたは下面パネルと対応する接続部材との連結強度が向上し、補強柱による補強効果を有効に利用し得る。
【発明を実施するための最良の形態】
【０００８】
次に、本発明に係る箱体構造につき、好適な実施例を挙げて、添付図面を参照して以下に説明する。なお、説明の便宜上、図６または図７に示した箱体構造の構成要素と同一の要素については、同一の符号を使用して詳細な説明は省略する。また実施例において、図１のＡ矢視を箱体の前面側とする。
【実施例】
【０００９】
図１は、実施例に係る箱体構造を採用した貯蔵庫３０を一部破断して示す概略斜視図であって、図２は、実施例の箱体構造を分解して示す概略斜視図である。前記貯蔵庫３０の本体をなす箱体３２は、天井面をなす上面パネル３４と、この上面パネル３４に対向配置され、底面をなす下面パネル４０と、上面パネル３４および下面パネル４０を連結して、左右の各側面をなす一組の側面パネル４６,４６とから基本的に構成され、これらのパネル３４,４０,４６,４６によって前後の両面に開口部Ｓ１,Ｓ１が夫々開放した収納空間Ｓが画成されている。前記上面パネル３４と下面パネル４０との間には、左右の側面パネル４６,４６に連結された仕切板５４が配設され、前記収納空間Ｓの略中央部に延在して該収納空間Ｓを上下に区分している。また、前記箱体３２における前記収納空間Ｓの前後に夫々臨む開口部Ｓ１,Ｓ１は、一対のスライド扉(扉)Ｄ,Ｄにより開閉自在に夫々開放され、貯蔵庫３０の前面または後面のどちらからでも、収納空間Ｓに対し物品を出し入れし得るようになっている。
【００１０】
前記上面パネル３４は、金属や樹脂等の板材からなる中空の外殻３４ａに、ウレタン等の断熱材３４ｂを充填して構成された断熱パネルであって、矩形状に形成されている。前記外殻３４ａの内部には、その前後方向の略中央部に左右方向の全長に亘って補強枠３６が配設され、その各端部が当該上面パネル３４における各側面の略中央部に臨むと共に、該補強枠３６の各端部に接続部材４４,４４が夫々連結されている。前記補強枠３６は、例えば断面ロ形状の柱状体であって、金属等の剛性を有する部材が採用される(図３参照)。また、前記収納空間Ｓの開口部Ｓ１,Ｓ１となる上面パネル３４の下面における前縁部および後端部には、左右方向に延在するガイド溝３４ｃが夫々凹設されている。
【００１１】
前記上面パネル３４の各側面に配設した各接続部材３８は、前記補強枠３６の一端部に連結固定した本体部３８ａと、この本体部３８ａにおける前後両側端縁から夫々側方に突出した延出部３８ｂ,３８ｂと、各延出部３８ｂの先端を対向する延出部３８ｂへ指向して直角に折曲形成した係止片３８ｃと、上面をなす蓋部３８ｄとが一体的に形成され、該接続部材３８は、その平断面形状がコ字の先端が互いに向けて折曲された鉤状となっている(図４参照)。前記接続部材３８は、前記本体部３８ａと係止片３８ｃ,３８ｃとの間および両延出部３８ｂ,３８ｂの間に画成される下方向に開放した開口部分は、後述する補強柱４８の断面寸法と略同一に設定され、該補強柱４８の挿通を許容して位置規制するようになっている。
【００１２】
前記下面パネル４０は、基本的に前記上面パネル３４と同様の構成であって、前記仕切板５４を挟んで対称な構成となっている。すなわち下面パネル４０は、中空の外殻４０ａに断熱材４０ｂを充填した矩形状の断熱パネル内部に、その前後方向の略中央部に左右方向の全長に亘って補強枠４２が配設され、その各端部が当該下面パネル４０における側面の略中央部に臨むと共に、該補強枠４２の各端部に接続部材４４,４４が夫々連結される。また、前記収納空間Ｓの開口部Ｓ１,Ｓ１となる下面パネル４０の上面における前縁部および後端部には、左右方向に延在するガイド溝４０ｃ,４０ｃが夫々凹設されている。そして、前記下面パネル４０の側面に配設した各接続部材４４についても、前記上面パネル３４の接続部材３８と同様に、本体部４４ａ、延出部４４ｂ,４４ｂ、係止片４４ｃ,４４ｃおよび蓋部４４ｄを備え、これらで前記補強柱４８の挿通を許容する上方に開放した開口部分が構成される。
【００１３】
前記仕切板５４は、金属または樹脂等の板材から形成され、前記収納空間Ｓの前後に臨む各開口部Ｓ１に対応した該仕切板５４の前縁部および後縁部には、左右方向に延在するガイド部５６が形成されている。前記各ガイド部５６は、前記仕切板５４の上面へ向けて開放し、前記上面パネル３４に凹設されたガイド溝３４ｃに対応した上ガイド溝５６ａと、該仕切板５４の下面へ向けて開放し、前記下面パネル４０に凹設されたガイド溝４０ｃに対応した下ガイド溝５６ｂとから構成される。すなわち、前記一対のスライド扉Ｄ,Ｄは、その上端が前記上面パネル３４のガイド溝３４ｃにスライド自在に保持されると共に、その下端が仕切板５４の上ガイド溝５６ａにスライド自在に保持されて、上部に位置する前側の開口部Ｓ１を開閉自在に閉成するようになっている。また、別のスライド扉Ｄ,Ｄの上端を、前記仕切板５４の下ガイド溝５６ｂにスライド自在に保持すると共に、その下端を前記下面パネル４０のガイド溝４０ｃにスライド自在に保持して、下部に位置する前側の開口部Ｓ１を開閉自在に閉成するようになっている。そして、同様に後側における上下の開口部Ｓ１,Ｓ１も、左右方向にスライド移動する一対のスライド扉Ｄ,Ｄによって開閉自在に閉成するよう構成される。
【００１４】
前記各側面パネル４６は、上下方向に延在する補強柱４８と、この補強柱４８を挟んで前後両側に位置する一対の側板(側板部)５０,５０と、該補強柱４８を覆うカバー部材５２とから構成され、各側板５０が別体となっている。前記補強柱４８は、その平断面形状がコ字の先端を互いに内方へ指向して延在した鉤状に形成され、剛性を備える長尺な箱状部材である。そして、前記補強柱４８は、その上端部を前記上面パネル３４の接続部材３８に挿入係合すると共に、下端部を前記下面パネル４０の接続部材４４に挿入係合し、溶接またはネジやリベット等の固定部材で両者を接合することで、箱体３２における側面の略中央部に縦方向に延在している。
【００１５】
より詳細には、図４に示すように、前記上面パネル３４における接続部材３８の下方向へ開放した開口部分に、下方から前記補強柱４８の上端部を挿入することで、該補強柱４８は接続部材３８の蓋部３８ｄに当接して挿入深さを規制され、対向配置した両延出部３８ｂ,３８ｂにより前後方向の位置規制がなされると共に、本体部３８ａと一対の係止片３８ｃ,３８ｃとで左右方向の位置規制がなされる。そして、前記補強柱４８の上面および前記接続部材３８の蓋部３８ｄと、該補強柱４８の上端部における前後の各側面およびこの側面に対応する延出部３８ｂ,３８ｂとを、夫々溶接またはネジやリベット等の固定部材で固定することで、接続部材３８に対し補強柱４８の上端部が連結される。このように、前記接続部材３８に対して、前記補強柱４８は複数の面(上面および前後面の３面)において、溶接または固定部材により固定されている。また、前記下面パネル４０の接続部材４４と前記補強柱４８の下端部との連結も同様になされる。
【００１６】
前記カバー部材５２は、前記接続部材３８,４４に連結した補強柱４８を内包し得る寸法に設定した一面を開放した箱状に形成され、この開放面を補強柱４８に向かい合わせて補強柱４８に外嵌するようになっている。また前記各側板５０は、金属または樹脂等の板材からなる中空の外殻に、ウレタン等の断熱材を充填して構成された断熱パネルであって、前記カバー部材５２を外嵌した補強柱４８と厚さおよび上下方向の寸法が略同一に設定した矩形状に形成されている。すなわち、前記側面パネル４６を構成する一対の側板５０,５０およびカバー部材５２は、同一の厚さに設定され、該側面パネル４６の外方に臨む面は平坦となっている。
【００１７】
前記各側板５０は、前記上面パネル３４の側面に穿設された通孔３４ｄおよび該側板５０の上端部に穿設された通孔５０ａを介してネジやリベット等の固定部材２４を締着することで、該上面パネル３４に対しその上端部を連結している(図２参照)。また、前記各側板５０の下端部は、前記下面パネル４０の側面に穿設された通孔４０ｄおよび該側板５０の下端部に穿設された通孔５０ａを介して固定部材２４を締着することで、該下面パネル４０に対し連結している。更に前記仕切板５４は、その側面に穿設された通孔５４ａおよび各側板５０の上下の略中央部に穿設された通孔５０ａを介して固定部材２４を締着することで、該側板５０の略中央部に対し連結している。
【００１８】
〔実施例の作用〕
次に、実施例に係る箱体構造の作用について説明する。前記各側面パネル４６を、剛性を有する補強柱４８と、この補強柱４８の前後両側に位置する一対の側板５０,５０とから構成し、前記上面パネル３４と下面パネル４０とを補強柱４８で連結することで、前記箱体３２の側面パネル４６,４６にかかる荷重を高剛性の補強柱４８が受けるから、側面パネル４６の厚みを増すことなく、箱体３２の強度を向上させることができる。すなわち、従来の如く、補強部材を配設しなくても、箱体３２の強度を向上し得る。また、前記箱体３２の外形寸法を大きくすることなく、強度に優れた箱体３２が得られるので、設置スペースが大きくならず、しかも前記補強柱４８を配設しても、前記収納空間Ｓに突出することがないため、該収納空間Ｓを狭めない利点がある。また、前記スライド扉Ｄ,Ｄの左右の側端部は、ウレタン等の断熱材が充填された断熱パネルである側板５０,５０に当接するので、該スライド扉Ｄ,Ｄを閉成した際に、金属音等の大きな音が発生することを抑制し得る。更に、前記補強柱４８に前記カバー部材５２を被せるよう構成したので、該補強柱４８を任意の形状に設定しても、箱体３２の外観を損ねることがなく、かつ各側面パネル４６において、補強柱４８の延在部分における断熱作用を向上し得る。
【００１９】
前記補強柱４８は、その上端部を前記上面パネル３４の各側面に配設した接続部材３８の下方向へ開放した開口部分に下方から挿入することで、該補強柱４８は接続部材３８の蓋部３８ｄ、対向配置した両延出部３８ｂ,３８ｂ、および本体部３８ａと一対の係止片３８ｃ,３８ｃで位置規制がなされる。一方、前記補強柱４８の下端部を、前記下面パネル４０の各側面に配設した接続部材４４の上方向へ開放した開口部分に上方から挿入することで、該補強柱４８は接続部材４４の蓋部４４ｄに当接して挿入深さを規制され、対向配置した両延出部４４ｂ,４４ｂにより前後方向の位置規制されると共に、本体部４４ａと一対の係止片４４ｃ,４４ｃとで左右方向の位置規制がなされる。このように、前記補強柱４８と上面パネル３４および下面パネル４０との連結を、該上面パネル３４および下面パネル４０に配設した各接続部材３８,４４を介して実施することで、該補強柱４８の各パネル３４,４０に対する上下、左右および前後の位置決めが容易になし得る。しかも、前記接続部材３８,４４に保持された補強柱４８は、前後、左右および上下に動かないよう位置規制されると共に、該接続部材３８,４４に対して、前記補強柱４８の各端部は複数の面(上面および前後面の３面)において、溶接または固定部材により固定されるから、前記上面パネル３４および下面パネル４０に対し強固に連結し、箱体３２の強度をより向上し得る。
【００２０】
前記上面パネル３４および下面パネル４０は、その前後方向の略中央部に左右に延在する補強枠３６,４２を夫々備えているから、該補強枠３６,４２の剛性故に、上面パネル３４および下面パネル４０自体の強度を向上させることができる。また、前記補強枠３６,４２の各端部に、接続部材３８,４４を夫々連結してあるので、上面パネル３４または下面パネル４０と対応する接続部材３８,４４との連結強度が向上し、前記補強柱４８による補強効果を有効に利用し得る。すなわち、前記箱体３２は、強度が更に向上することになる。
【００２１】
実施例では、各側面パネル４６を、補強柱４８と一対の側板５０,５０とカバー部材５２とから構成したが、これに限定されず、例えば側板５０,５０とカバー部材５２を一体的に形成してもよい。図５に示すように、変更例に係る箱体構造において、各側面パネル４７は、上端部を上面パネル３４の側面における略中央部に連結すると共に、下端部を下面パネル４０における側面の略中央部に連結した補強柱４８と、この補強柱４８を覆うと共に、補強柱４８を挟む前後両側に位置する一対の側板部５１,５１を備え、箱体の側面をなす側板部材４９とから構成される。この側板部材４９は、中空の外殻に断熱材が充填された断熱パネルを本体とし、本体の略中央部に補強柱４８を内包し得る寸法に設定した凹部５３が形成されるよう離間した状態で、前記一対の側板部５１,５１が一体形成され、凹部５３の開放面を補強柱４８に向かい合わせて該補強柱４８に外嵌するようになっている。また、各側板部材４９は、前記上面パネル３４、下面パネル４０および仕切板５４の側面に穿設された通孔３４ｄ,４０ｄ,５４ａおよび各側板部５１に穿設された通孔５１ａを介してネジやリベット等の固定部材２４を締着することで、各側板部５１の上端部が上面パネル３４の側面に連結されると共に、下端部が下面パネル４０の側面に連結され、略中央部が仕切板５４に連結される。すなわち、上面パネル３４および下面４０パネルと連結した側板部材４９は、先に連結された補強柱４８の前後両側を挟んで断熱材が充填された側板部５１,５１が位置している。
【図面の簡単な説明】
【００２２】
【図１】本発明の好適な実施例に係る箱体構造を採用した貯蔵庫を一部破断して示す概略斜視図である。
【図２】実施例の箱体構造を分解して示す概略斜視図である。
【図３】図１のＸ−Ｘ線断面図である。
【図４】実施例の箱体構造の要部を拡大して示す概略分解斜視図である。
【図５】変更例に係る箱体構造を分解して示す概略斜視図である。
【図６】従来の箱体構造を採用した貯蔵庫を一部破断して示す概略斜視図である。
【図７】従来の箱体構造を分解して示す概略斜視図である。
【図８】従来の箱体構造の一部を拡大して示す正面図である。
【符号の説明】
【００２３】
３４ 上面パネル，３６ 補強枠，３８ 接続部材，４０ 下面パネル，４２ 補強枠，
４４ 接続部材，４６ 側面パネル，４７ 側面パネル，４８ 補強柱，
５０ 側板(側板部)，５１ 側板部，Ｓ 収納空間，Ｓ１ 開口部，Ｄ スライド(扉)
【図１】
2006046861.tif 000003
【図２】
2006046861.tif 000004
【図３】
2006046861.tif 000005
【図４】
2006046861.tif 000006
【図５】
2006046861.tif 000007
【図６】
2006046861.tif 000008
【図７】
2006046861.tif 000009
【図８】
2006046861.tif 000010